(57)【要約】  本発明に係るスマートバッテリーパック及び検測方法は、バッテリーパック自体によりその状態情報を検測することができ、例えば、バッテリーパックが十分に搭載されているか或いは下落しているかを検測することができることから、他の装置を設置したり、車に検測回路を専ら設置したりする必要が無くなる。  本発明は、スマートバッテリーパック及び検測方法を開示している。前記スマートバッテリーパックは、バッテリーパック組立体、状態検測モジュール及びＢＭＳを備え、前記状態検測モジュールが前記バッテリーパック組立体に設置され、前記状態検測モジュールが前記ＢＭＳに通信接続され、前記状態検測モジュールは、前記バッテリーパック組立体の状態情報を取得して前記状態情報を前記ＢＭＳに送信することに用いられる。【選択図】図１
2021533531.tif 000002
【特許請求の範囲】
【請求項１】
バッテリーパック組立体、前記バッテリーパック組立体に設置される状態検測モジュール、及び、前記状態検測モジュールに通信接続されるＢＭＳを備え、
前記状態検測モジュールは、前記バッテリーパック組立体の状態情報を取得して前記状態情報を前記ＢＭＳに送信することに用いられる、ことを特徴とするスマートバッテリーパック。
【請求項２】
前記状態情報は、車における前記バッテリーパック組立体の位置情報及び／或いは前記バッテリーパック体の温度情報を備える、ことを特徴とする請求項１に記載のスマートバッテリーパック。
【請求項３】
前記状態検測モジュールは、具体的に、自体が検測する応力の方向及び応力の大きさに基づいて、前記車における前記バッテリーパック組立体の位置情報を取得することに用いられる、ことを特徴とする請求項２に記載のスマートバッテリーパック。
【請求項４】
前記バッテリーパック組立体は、バッテリーパック体及び前記バッテリーパック体に設置される接続部材を備え、
前記状態検測モジュールは、検知ヘッドが前記接続部材に設置される第一状態検測手段を備える、ことを特徴とする請求項３に記載のスマートバッテリーパック。
【請求項５】
前記第一状態検測手段は、
前記スマートバッテリーパックが前記車に搭載されている場合に、前記接続部材が生じる応力の方向及び応力の大きさを前記検知ヘッドにより検測し、前記応力の大きさが第一閾値よりも大きくしかも前記応力の方向が前記スマートバッテリーパックの搭載方向と同じであると、前記車における前記バッテリーパック組立体の位置情報が、搭載際における所定の目標位置となる旨であるようにすることに用いられる、ことを特徴とする請求項４に記載のスマートバッテリーパック。
【請求項６】
前記第一状態検測手段は、
前記スマートバッテリーパックが前記車に搭載されている場合に、前記接続部材が生じる応力の方向及び応力の大きさを前記検知ヘッドにより検測し、前記応力の大きさが第二閾値よりも大きくしかも前記応力の方向が重力方向と反対すると、前記車における前記バッテリーパック組立体の位置情報が搭載済みの目標位置となる旨であるようにすることに用いられる、ことを特徴とする請求項４又は５に記載のスマートバッテリーパック。
【請求項７】
前記バッテリーパック組立体は、バッテリーパック体及び前記バッテリーパック体に設置される接続部材を備え、前記状態検測モジュールは、検知ヘッドが前記バッテリーパック組立体と前記車との当接面に設置される第二状態検測手段を備え、
前記第二状態検測手段は、
前記スマートバッテリーパックが前記車に搭載されている場合に、前記当接面が生じる応力の方向及び応力の大きさを前記検知ヘッドにより検測し、前記応力の大きさが第三閾値よりも大きくしかも前記応力の方向が前記バッテリーパック体に沿って外側に向かう方向であると、前記車における前記バッテリーパック組立体の位置情報が、搭載済みの位置に保持され前記車に近接して接続される旨であるようにすることに用いられる、ことを特徴とする請求項３に記載のスマートバッテリーパック。
【請求項８】
前記状態検測モジュールは、ファイバグレーチングセンサーにより実現される、ことを特徴とする請求項１に記載のスマートバッテリーパック。
【請求項９】
前記ＢＭＳは、前記状態情報を記憶し、前記状態情報の受信時間を記録することに用いられる、ことを特徴とする請求項１に記載のスマートバッテリーパック。
【請求項１０】
前記スマートバッテリーパックは、前記ＢＭＳに通信接続される通信モジュールをさらに備え、
前記ＢＭＳは、前記通信モジュールにより、前記状態情報を遠隔検知装置に送信する、ことを特徴とする請求項１に記載のスマートバッテリーパック。
【請求項１１】
前記スマートバッテリーパックは、前記ＢＭＳに通信接続されるデータ転送インターフェースをさらに備え、
前記ＢＭＳは、前記データ転送インターフェースにより、前記状態情報をＶＣＵに送信し、或いは、前記データ転送インターフェースの装置にアクセスする、ことを特徴とする請求項１に記載のスマートバッテリーパック。
【請求項１２】
請求項１から１１のうちいずれか１項に記載のスマートバッテリーパックにより実現されるスマートバッテリーパック検測方法であって、
状態検測モジュールがバッテリーパック組立体の状態情報を取得して状態情報をＢＭＳに送信することを備える、ことを特徴と  するスマートバッテリーパック検測方法。
【請求項１３】
前記状態情報は、車における前記バッテリーパック組立体の位置情報及び／或いは前記バッテリーパック体の温度情報を備える、ことを特徴とする請求項１２に記載のスマートバッテリーパック検測方法。
【請求項１４】
状態検測モジュールがバッテリーパック組立体の状態情報を取得することは、
自体が検測する応力の方向及び応力の大きさに基づいて、前記車における前記バッテリーパック組立体の位置情報を取得することを備える、ことを特徴とする請求項１３に記載のスマートバッテリーパック検測方法。
【請求項１５】
前記バッテリーパック組立体は、バッテリーパック体及び前記バッテリーパック体に設置される接続部材を備え、前記状態検測モジュールは、検知ヘッドが前記接続部材に設置される第一状態検測手段を備える、ことを特徴とする請求項１４に記載のスマートバッテリーパック検測方法。
【請求項１６】
自体が検測する応力の方向及び応力の大きさに基づいて、前記車における前記バッテリーパック組立体の位置情報を取得することは、
前記第一状態検測手段は、前記スマートバッテリーパックが前記車に搭載される場合に、前記接続部材が生じる応力の方向及び応力の大きさを前記検知ヘッドにより検測し、前記応力の大きさが第一閾値よりも大きくしかも前記応力の方向が前記スマートバッテリーパックの搭載方向と同じであると、前記車における前記バッテリーパック組立体の位置情報が、搭載際における所定の目標位置となる旨であるようにすることを備える、ことを特徴とする請求項１５に記載のスマートバッテリーパック検測方法。
【請求項１７】
自体が検測する応力の方向及び応力の大きさに基づいて、前記車における前記バッテリーパック組立体の位置情報を取得することは、
前記第一状態検測手段は、前記スマートバッテリーパックが前記車に搭載されている場合に、前記接続部材が生じる応力の方向及び応力の大きさを前記検知ヘッドにより検測し、前記応力の大きさが第二閾値よりも大きくしかも前記応力の方向が重力方向と反対すると、前記車における前記バッテリーパック組立体の位置情報が搭載済みの目標位置となる旨であるようにすることを備える、ことを特徴とする請求項１５又は１６に記載のスマートバッテリーパック検測方法。
【請求項１８】
前記バッテリーパック組立体は、バッテリーパック体及び前記バッテリーパック体に設置される接続部材を備え、前記状態検測モジュールは、検知ヘッドが前記バッテリーパック組立体と前記車との当接面に設置される第二状態検測手段を備え、
自体が検測する応力の方向及び応力の大きさに基づいて、前記車における前記バッテリーパック組立体の位置情報を取得することは、
前記第二状態検測手段は、前記スマートバッテリーパックが前記車に搭載されている場合に、前記当接面に生じる応力の方向及び応力の大きさを前記検知ヘッドにより検測し、  前記応力の大きさが第三閾値よりも大きくしかも前記応力の方向が前記バッテリーパックの胴体に沿って外側に向かう方向であると、前記車における前記バッテリーパック組立体の位置情報が、搭載済みの位置に保持され前記車に近接して接続される旨であるようにすることを備える、ことを特徴とする請求項１４に記載のスマートバッテリーパック検測方法。
【請求項１９】
前記状態検測モジュールは、ファイバグレーチングセンサーにより実現される、ことを特徴とする請求項１２に記載のスマートバッテリーパック検測方法。
【請求項２０】
前記スマートバッテリーパック検測方法は、
前記ＢＭＳが前記状態情報を記憶し、前記状態情報の受信時間を記録することをさらに備える、ことを特徴とする請求項１２に記載のスマートバッテリーパック検測方法。
【請求項２１】
前記スマートバッテリーパックは、前記ＢＭＳに通信接続される通信モジュールをさらに備え、
前記スマートバッテリーパック検測方法は、前記ＢＭＳが前記通信モジュールにより前記状態情報を遠隔検知装置に送信することをさらに備える、ことを特徴とする請求項１２に記載のスマートバッテリーパック検測方法。
【請求項２２】
前記スマートバッテリーパックは、前記ＢＭＳに通信接続されるデータ転送インターフェースをさらに備え、
前記スマートバッテリーパック検測方法は、前記ＢＭＳが前記データ転送インターフェースにより前記状態情報をＶＣＵに送信し、或いは、前記データ転送インターフェースの装置にアクセスすることをさらに備える、ことを特徴とする請求項１２に記載のスマートバッテリーパック検測方法。
【発明の詳細な説明】
【技術分野】
【０００１】
本発明は、スマートバッテリーパック及び検測方法に関する。
【背景技術】
【０００２】
電気自動車が消費者に人気を集めるにつれて、自動車のバッテリーは、電気自動車に動力源として安定して稼働することが電気自動車の安全性能にとって鍵となっている。バッテリーパックを車に搭載する過程では、バッテリー交換装置を搭載する精度に限界があることから、バッテリーパックが十分や確実に搭載されない場合に、バッテリーを交換することが不具合となり、または、バッテリーパックにより車に電力を提供できない恐れがある。車が走行している過程では、道路の表面が揺れすぎ、又は、バッテリーパックと車主体の接続部材との接続が確実でない場合に、バッテリーパックが下落してしまうことがある。上記した場合が一旦発生すると、車、ひいては、乗員にとって極めて悪く、危なくなる。そして、バッテリーパックが十分に搭載されているか、下落しているかを検知することが十分に必要となっている。
【０００３】
現在に、バッテリーを交換する過程では、バッテリーパックが十分に搭載されているかを検知することは、一般的に、バッテリー交換装置自体或いはバッテリーパック以外の他の装置により実現されえる。しかしながら、バッテリーが交換された後に、バッテリーパックが下落しているかどうかを検知するということは、一般的に、車が通電されているかどうかによって判断され、車が通電されていない場合に、バッテリーパックが下落していると判断する一方、車が通電されている場合に、バッテリーパックが下落していないと判断する。
【発明の概要】
【発明が解決しようとする課題】
【０００４】
上記した検知の形態は、バッテリー交換装置により実現されたり、車内に位置する回路の検測により実現されたりすることができるものの、バッテリーパック自体に検測の機能を有していないことから、極めて不便となってしまう。
【課題を解決するための手段】
【０００５】
本発明の解決しようとする技術問題は、従来技術において、バッテリーパックが十分に搭載されているか或いは下落しているかということを検知できないバッテリーパック自体の欠陥を解決するために、スマートバッテリーパック及び検測方法を提供する。
【０００６】
本発明は、以下の技術手段を用いて、上記した課題を解決する。本発明は、バッテリーパック組立体、前記バッテリーパック組立体に設置される状態検測モジュール、及び、前記状態検測モジュールに通信接続されるＢＭＳ（バッテリー管理システム）を備え、前記状態検測モジュールは、前記バッテリーパック組立体の状態情報を取得して、前記状態情報を前記ＢＭＳに送信することに用いられるスマートバッテリーパックを提供する。
【０００７】
好ましくは、前記状態情報は、車における前記バッテリーパック組立体の位置情報及び／或いは前記バッテリーパック体の温度情報を備える。
【０００８】
好ましくは、前記状態検測モジュールは、具体的に、自体が検測する応力の方向及び応力の大きさに基づいて、前記車における前記バッテリーパック組立体の位置情報を取得することに用いられる。
【０００９】
好ましくは、前記バッテリーパック組立体は、バッテリーパック体及び前記バッテリーパック体に設置される接続部材を備え、前記状態検測モジュールは、検知ヘッドが前記接続部材に設置される第一状態検測手段を備える。
【００１０】
好ましくは、前記第一状態検測手段は、前記スマートバッテリーパックが前記車に搭載される場合に、前記接続部材が生じる応力の方向及び応力の大きさを前記検知ヘッドにより検測し、前記応力の大きさが第一閾値よりも大きくしかも前記応力の方向が前記スマートバッテリーパックの搭載方向と同じであると、前記車における前記バッテリーパック組立体の位置情報が、搭載際における所定の目標位置となる旨であるようにすることに用いられる。
【００１１】
好ましくは、前記第一状態検測手段は、前記スマートバッテリーパックが前記車に搭載されている場合に、前記接続部材が生じる応力の方向及び応力の大きさを前記検知ヘッドにより検測し、前記応力の大きさが第二閾値よりも大きくしかも前記応力の方向が重力方向と反対すると、前記車における前記バッテリーパック組立体の位置情報が搭載済みの目標位置となる旨であるようにすることに用いられる。
【００１２】
好ましくは、前記バッテリーパック組立体は、バッテリーパック体及び前記バッテリーパック体に設置される接続部材を備え、前記状態検測モジュールは、検知ヘッドが前記バッテリーパック組立体と前記車との当接面に設置される第二状態検測手段を備え、前記第二状態検測手段は、前記スマートバッテリーパックが前記車に搭載されている場合に、前記当接面が生じる応力の方向及び応力の大きさを前記検知ヘッドにより検測し、前記応力の大きさが第三閾値よりも大きくしかも前記応力の方向が前記バッテリーパック体に沿って外側に向かう方向であると、前記車における前記バッテリーパック組立体の位置情報が、搭載済みの位置に保持され前記車に近接して接続される旨であるようにすることに用いられる。
【００１３】
好ましくは、前記状態検測モジュールは、ファイバグレーチングセンサーにより実現される。
【００１４】
好ましくは、前記ＢＭＳは、前記状態情報を記憶し、前記状態情報の受信時間を記録することに用いられる。
【００１５】
好ましくは、前記スマートバッテリーパックは、前記ＢＭＳに通信接続される通信モジュールをさらに備え、前記ＢＭＳは、前記通信モジュールにより、前記状態情報を遠隔検知装置に送信する。
【００１６】
好ましくは、前記スマートバッテリーパックは、前記ＢＭＳに通信接続されるデータ転送インターフェースをさらに備え、前記ＢＭＳは、前記データ転送インターフェースにより、前記状態情報をＶＣＵに送信し、或いは、前記データ転送インターフェースの装置にアクセスする。
【００１７】
本発明は、上記したスマートバッテリーパックにより実現されるスマートバッテリーパック検測方法であって、状態検測モジュールがバッテリーパック組立体の状態情報を取得して状態情報をＢＭＳに送信することを備えるスマートバッテリーパック検測方法を、さらに提供する。
【００１８】
好ましくは、前記状態情報は、車における前記バッテリーパック組立体の位置情報及び／或いは前記バッテリーパック体の温度情報を備える。
【００１９】
好ましくは、状態検測モジュールがバッテリーパック組立体の状態情報を取得することは、自体が検測する応力の方向及び応力の大きさに基づいて、前記車における前記バッテリーパック組立体の位置情報を取得することを備える。
【００２０】
好ましくは、前記バッテリーパック組立体は、バッテリーパック体及び前記バッテリーパック体に設置される接続部材を備え、前記状態検測モジュールは、検知ヘッドが前記接続部材に設置される第一状態検測手段を備える。
【００２１】
好ましくは、自体が検測する応力の方向及び応力の大きさに基づいて、前記車における前記バッテリーパック組立体の位置情報を取得することは、前記第一状態検測手段は、前記スマートバッテリーパックが前記車に搭載される場合に、前記接続部材が生じる応力の方向及び応力の大きさを前記検知ヘッドにより検測し、前記応力の大きさが第一閾値よりも大きくしかも前記応力の方向が前記スマートバッテリーパックの搭載方向と同じであると、前記車における前記バッテリーパック組立体の位置情報が、搭載際における所定の目標位置となっている旨であるようにすることを備える。
【００２２】
好ましくは、自体が検測する応力の方向及び応力の大きさに基づいて、前記車における前記バッテリーパック組立体の位置情報を取得することは、前記第一状態検測手段は、前記スマートバッテリーパックが前記車に搭載されている場合に、前記接続部材が生じる応力の方向及び応力の大きさを前記検知ヘッドにより検測し、前記応力の大きさが第二閾値よりも大きくしかも前記応力の方向が重力方向と反対すると、前記車における前記バッテリーパック組立体の位置情報が搭載済みの目標位置となる旨であるようにすることを備える。
【００２３】
好ましくは、前記バッテリーパック組立体は、バッテリーパック体及び前記バッテリーパック体に設置される接続部材を備え、前記状態検測モジュールは、検知ヘッドが前記バッテリーパック組立体と前記車との当接面に設置される第二状態検測手段を備え、自体が検測する応力の方向及び応力の大きさに基づいて、前記車における前記バッテリーパック組立体の位置情報を取得することは、前記第二状態検測手段は、前記スマートバッテリーパックが前記車に搭載されている場合に、前記当接面に生じる応力の方向及び応力の大きさを前記検知ヘッドにより検測し、前記応力の大きさが第三閾値よりも大きくしかも前記応力の方向が前記バッテリーパックの胴体に沿って外側に向かう方向であると、前記車における前記バッテリーパック組立体の位置情報が、搭載済みの位置に保持され前記車に近接して接続される旨であるようにすることを備える。
【００２４】
好ましくは、前記状態検測モジュールは、ファイバグレーチングセンサーにより実現される。
【００２５】
好ましくは、前記スマートバッテリーパック検測方法は、前記ＢＭＳが前記状態情報を記憶し、前記状態情報の受信時間を記録することをさらに備える。
【００２６】
好ましくは、前記スマートバッテリーパックは、前記ＢＭＳに通信接続される通信モジュールをさらに備え、前記スマートバッテリーパック検測方法は、前記ＢＭＳが前記通信モジュールにより前記状態情報を遠隔検知装置に送信することをさらに備える。
【００２７】
好ましくは、前記スマートバッテリーパックは、前記ＢＭＳに通信接続されるデータ転送インターフェースをさらに備え、前記スマートバッテリーパック検測方法は、前記ＢＭＳが前記データ転送インターフェースにより前記状態情報をＶＣＵに送信し、或いは、前記データ転送インターフェースの装置にアクセスすることをさらに備える。
【００２８】
本分野の常識に基づいて上記した好ましい各条件を任意に組み合わせると、本発明における好ましい各実施例を得ることができる。
【発明の効果】
【００２９】
本発明による積極的な進歩・効果は、本発明に係るスマートバッテリーパック及び検測方法によると、バッテリーパック自体によりその状態情報を検測することができ、例えば、バッテリーパックが十分に搭載されているか或いは下落しているかを検測することができることから、他の装置を設置したり、車に検測回路を専ら設置したりする必要が無くなるということにある。
【図面の簡単な説明】
【００３０】
【図１】本発明の実施例１に係るスマートバッテリーパックの模式図である。
【図２】本発明の実施例２に係るスマートバッテリーパック検測方法のフローチャートである。
【発明を実施するための形態】
【００３１】
以下に実施例の形態に基づいて本発明をさらに詳しく説明していくが、本発明が上記した実施例による範囲に限定されるわけではない。
【００３２】
実施例１
スマートバッテリーパックは、図１に示されるように、バッテリーパック組立体１１、状態検測モジュール１２及びＢＭＳ１３を備える。前記状態検測モジュール１２は、前記バッテリーパック組立体１１に設置され、前記状態検測モジュール１２は、前記ＢＭＳ１３に通信接続される。そのうち、前記通信接続は、有線を介する通信接続であることが好ましい。
【００３３】
前記状態検測モジュール１２は、前記バッテリーパック組立体１１の状態情報を取得し、前記状態情報を前記ＢＭＳ１３に送信することに用いられる。
【００３４】
本実施例では、前記バッテリーパック組立体１１は、バッテリーパック体及び前記バッテリーパック体に設置される接続部材を備える。本発明は、前記バッテリーパック体及び前記接続部材についての具体的な構成が限定されていない。
【００３５】
前記状態情報は、車における前記バッテリーパック組立体１１の位置情報を備えてもよい。
【００３６】
そのうち、車における前記バッテリーパック組立体１１の位置情報を取得するために、前記状態検測モジュール１２は、具体的に、自体が検測する応力の方向及び応力の大きさに基づいて、前記車における前記バッテリーパック組立体１１の位置情報を取得することに用いられる。
【００３７】
具体的に、前記状態検測モジュール１２は、検知ヘッドが前記接続部材に設置される第一状態検測手段１２１を備えてもよい。
【００３８】
前記第一状態検測手段１２１は、前記スマートバッテリーパックが前記車に搭載される場合に、前記接続部材が生じる応力の方向及び応力の大きさを前記検知ヘッドにより検測し、前記応力の大きさが第一閾値よりも大きくしかも前記応力の方向が前記スマートバッテリーパックの搭載方向と同じであると、前記車における前記バッテリーパック組立体１１の位置情報が搭載際における所定の目標位置となる旨であるようにすることに用いられてもよい。そのうち、第一閾値が所定の経験値とされる。
【００３９】
例えば、車の底部にバッテリー外部ケースが設置され、前記スマートバッテリーパックが前記車に搭載される場合には、バッテリーの外部ケースの構成によって搭載際の所定過程も異なることがある。
【００４０】
第一の搭載の所定過程は、バッテリー交換装置により車の下方から上向きに前記スマートバッテリーパックを持ち上げるということであり、ここで、搭載の所定過程においては、スマートバッテリーパックを搭載する方向が上向きとなり、目標位置がバッテリー外部ケース内の最も先端部として設置される。バッテリーパック組立体１１が目標位置に達すると、ボルトやナットなどの接続部材によりスマートバッテリーパックをバッテリー外部ケースに接続して、前記目標位置に固定する。前記第一状態検測手段１２１は、前記バッテリー交換装置により上向きに前記スマートバッテリーパックを持ち上げる過程において、前記接続部材が生じる応力の方向及び応力の大きさを前記検知ヘッドにより検測し、前記応力の大きさが第一閾値よりも大きくしかも前記応力の方向が上向きであると、前記バッテリーパック組立体１１がバッテリー外部ケース内における最も先端部に設置される目標位置となると判断する。
【００４１】
第二の搭載の所定過程は、バッテリー交換装置により車の下方から上向きに前記スマートバッテリーパックを持ち上げる第一段階、及び、バッテリー交換装置により水平方向に沿って前方へ前記スマートバッテリーパックを移動する第二段階という二つの段階に分かれる。第一段階では、スマートバッテリーパックを搭載する方向が上向きとなり、目標位置がバッテリー外部ケース内における最も先端部として設置され、第二段階では、スマートバッテリーパックを搭載する方向が水平方向に沿う前方となり、目標位置がバッテリー外部ケース内における最も先端（車両前頭部の方向を前方とする）として設置される。バッテリーパック組立体１１は、第二段階の目標位置に達するとロックシャフト或いは他の接続部材により、スマートバッテリーパックをバッテリー外部ケースに接続し前記目標位置に固定する。第一段階を実施している過程では、前記第一状態検測手段１２１は、前記接続部材が生じる応力の方向及び応力の大きさを前記検知ヘッドにより検測し、前記応力の大きさがある閾値よりも大きくしかも前記応力の方向が上向きであると、前記バッテリーパック組立体１１がバッテリー外部ケース内における最も先端部に設置される目標位置となる。第二段階を実施している過程では、前記第一状態検測手段１２１は、前記接続部材が生じる応力の方向及び応力の大きさを前記検知ヘッドにより検測し、前記応力の大きさがある閾値よりも大きくしかも前記応力の方向が水平方向に沿う前方であると、前記バッテリーパック組立体１１がバッテリー外部ケース内における最も先端に設置される目標位置となる。
【００４２】
前記第一状態検測手段１２１は、さらに、前記スマートバッテリーパックが前記車に搭載されている場合に、前記接続部材が生じる応力の方向及び応力の大きさを前記検知ヘッドにより検測し、前記応力の大きさが第二閾値よりも大きくしかも前記応力の方向が重力方向と反対すると、前記車における前記バッテリーパック組立体１１の位置情報が搭載済みの目標位置となるようにすることに用いられる。そのうち、第二閾値が所定の経験値とされる。
【００４３】
また、上記した第一の搭載の所定過程を例とすると、搭載済みの目標位置がバッテリー外部ケース内における最も先端部として設置される。前記スマートバッテリーパックが前記車に搭載されている場合に、バッテリーパック組立体１１が搭載済みの目標位置となると、バッテリーパック組立体が一定の重さを有していることから、バッテリーパック組立体が下向きに加わる重力が接続部材に加われ、バッテリーパック組立体を支持するように、上向きする応力が接続部材に生じ、一方、バッテリーパック組立体が搭載済みの目標位置とならない場合に、上向きする応力が接続部材に生じなく、或いは、たとえ応力が生じてもその応力の大きさが十分ではない。そして、前記第一状態検測手段１２１の検知ヘッドが接続部材に設置されることから、前記接続部材が生じる応力の方向及び応力の大きさを前記検知ヘッドにより検測し、前記バッテリーパック組立体１１が搭載済みの目標位置となるかどうかを判断でき、つまり、前記応力の大きさが第二閾値よりも大きくしかも前記応力の方向が上向きであると判断すると、前記バッテリーパック組立体１１が搭載済みの目標位置となる。
【００４４】
上記した第二の搭載の所定過程を例とすると、搭載済みの目標位置がバッテリー外部ケース内における鉛直方向の最も先端部及び水平方向の最も先端として設置される。前記スマートバッテリーパックが前記車に搭載されている場合に、バッテリーパック組立体１１が搭載済みの目標位置となると、バッテリーパック組立体が一定の重さを有していることから、バッテリーパック組立体が下向きに加わる重力が接続部材に加われ、バッテリーパック組立体を支持するように、上向きする応力が接続部材に生じ、一方、バッテリーパック組立体が搭載済みの目標位置とならないと、上向きする応力が接続部材に生じなく、或いは、たとえ応力が生じてもその応力の大きさが十分ではない。そして、前記第一状態検測手段１２１の検知ヘッドが接続部材に設置されることから、前記接続部材が生じる応力の方向及び応力の大きさを前記検知ヘッドにより検測し、前記バッテリーパック組立体１１が搭載済みの目標位置となるかどうかを判断でき、つまり、前記応力の大きさが第二閾値よりも大きくしかも前記応力の方向が上向きであると、前記バッテリーパック組立体１１が搭載済みの目標位置となる。
【００４５】
さらに、前記状態検測モジュール１２は、検知ヘッドが前記バッテリーパック組立体１１と前記車との当接面に設置される第二状態検測手段１２２をさらに備えてもよい。そのうち、前記当接面は、前記バッテリーパック組立体１１と前記車との当接形態により決められ、具体的な当接形態は、側面の当接や天井面の当接などであってもよく、対応する当接面は、バッテリーパック組立体１１の側面や天井面などである。
【００４６】
前記第二状態検測手段１２２は、前記スマートバッテリーパックが前記車に搭載されている場合に、前記当接面に生じる応力の方向及び応力の大きさを前記検知ヘッドにより検測し、前記応力の大きさが第三閾値よりも大きくしかも前記応力の方向が前記バッテリーパックの胴体に沿って外側に向かう方向であると、前記車における前記バッテリーパック組立体１１の位置情報が搭載済みの位置に保持され前記車と近接して接続される旨となるようにすることに用いられる。そのうち、第三閾値が所定の経験値とされる。
【００４７】
例えば、前記スマートバッテリーパックが前記車に搭載されている場合に、バッテリーパック組立体１１の前側面が車内におけるバッテリー外部ケースと対応する前方内側面に当接し、バッテリーパック組立体１１の天井面が車内におけるバッテリー外部ケースと対応する天井内側面に当接する。バッテリーパック組立体１１の前側面に設置される第二状態検測手段１２２は、検知ヘッドにより検測された前側面に生じる応力の大きさが対応する閾値よりも大きくしかも前記応力の方向が前記バッテリーパックの胴体に沿って外側に向かい（つまり、前方へ向かう）、しかも、バッテリーパック組立体１１の天井面に設置される第二状態検測手段１２２は、検知ヘッドにより検測された天井面に生じる応力の大きさが対応する閾値よりも大きくしかも前記応力の方向が前記バッテリーパックの胴体に沿って外側に向かう（つまり、上へ向かう）と、前記車における前記バッテリーパック組立体１１の位置情報は、搭載済みの位置に保持され前記車と近接して接続される旨となる。
【００４８】
前記状態情報は、前記バッテリーパック体の温度情報をさらに備えてもよい。バッテリーの過熱により、破壊が発生してしまうことを防ぐ。
【００４９】
応力の検測及び温度の測量を同時に実現するために、本実施例では、前記状態検測モジュール１２は、ファイバグレーチングセンサーにより実現されてもよい。ファイバグレーチングセンサーは、一部の物質の吸収するスペクトルが温度の変化に応じて変化するという原理により、ファイバから転送されてきたスペクトルを分析して温度がリアルタイムで分かるようにするものである。
【００５０】
また、状態情報が分かるように分析するために、前記ＢＭＳ１３は、前記状態情報を記憶し、前記状態情報の受信時間を記録することに用いられてもよい。
【００５１】
前記状態情報への転送及び検知を便宜にするために、前記スマートバッテリーパックは、前記ＢＭＳ１３に通信接続される通信モジュール１４をさらに備え、前記ＢＭＳ１３は、前記通信モジュールにより、前記状態情報を遠隔検知装置に送信してもよい。前記スマートバッテリーパックは、前記ＢＭＳ１３に通信接続されるデータ転送インターフェースをさらに備え、前記ＢＭＳ１３は、前記データ転送インターフェースにより、前記状態情報をＶＣＵに送信し、或いは、前記データ転送インターフェースの装置にアクセスしてもよい。
【００５２】
本実施例に係るスマートバッテリーパックは、バッテリーパック以外の他の装置によらず自体の状態を検測することができ、例えば、バッテリーパック組立体１１が搭載際における所定の目標位置となるかどうか、搭載済みの目標位置となるかどうか、搭載済みの位置に保持され前記車に近接して接続されるかどうかということを検測することができる。バッテリーパック状態を検測することができると共に、車又は他の装置の検測回路を簡単化させることができる。
【００５３】
実施例２
スマートバッテリーパック検測方法は、実施例１に係るスマートバッテリーパックにより実現される。前記スマートバッテリーパックは、バッテリーパック組立体、状態検測モジュール及びＢＭＳを備える。前記状態検測モジュールは、前記バッテリーパック組立体に設置され、前記状態検測モジュールは、前記ＢＭＳに通信接続される。図２に示されるように、前記スマートバッテリーパック検測方法は、前記状態検測モジュールがバッテリーパック組立体の状態情報を取得するステップ２１と、前記状態検測モジュールが前記状態情報をＢＭＳに送信するステップ２２とを備える。
【００５４】
本実施例では、前記バッテリーパック組立体は、バッテリーパック体及び前記バッテリーパック体に設置される接続部材を備える。本発明は、前記バッテリーパック体及び前記接続部材についての具体的な構成が限定されていない。
【００５５】
前記状態情報は、車における前記バッテリーパック組立体の位置情報を備えてもよい。
【００５６】
具体的に、ステップ２１は、前記状態検測モジュールは、自体が検測する応力の方向及び応力の大きさに基づいて、前記車における前記バッテリーパック組立体の位置情報を取得することを備える。
【００５７】
前記状態検測モジュールは、検知ヘッドが前記接続部材に設置される第一状態検測手段を備えてもよい。
【００５８】
ステップ２１は、具体的に、前記第一状態検測手段は、前記スマートバッテリーパックが前記車に搭載される場合に、前記接続部材が生じる応力の方向及び応力の大きさを検知ヘッドにより検測し、前記応力の大きさが第一閾値よりも大きくしかも前記応力の方向が前記スマートバッテリーパックの搭載方向と同じであると、前記車における前記バッテリーパック組立体の位置情報が搭載際の所定の目標位置となるようにする、ことを備えてもよい。
【００５９】
ステップ２１は、具体的に、前記第一状態検測手段は、前記スマートバッテリーパックが前記車に搭載されている場合に、前記接続部材が生じる応力の方向及び応力の大きさを検知ヘッドにより検測し、前記応力の大きさが第二閾値よりも大きくしかも前記応力の方向が重力方向と反対すると、前記車における前記バッテリーパック組立体の位置情報が搭載済みの目標位置となるようにする、ことをさらに備えてもよい。
【００６０】
前記状態検測モジュールは、検知ヘッドが前記バッテリーパック組立体と前記車との当接面に設置される第二状態検測手段をさらに備えてもよい。
【００６１】
ステップ２１は、前記第二状態検測手段は、前記スマートバッテリーパックが前記車に搭載されている場合に、前記当接面に生じる応力の方向及び応力の大きさを検知ヘッドにより検測し、前記応力の大きさが第三閾値よりも大きくしかも前記応力の方向が前記バッテリーパックの胴体に沿って外側に向かう方向であると、前記車における前記バッテリーパック組立体の位置情報が搭載済みの位置に保持され前記車に近接して接続される旨であるようにする、ことを備えてもよい。
【００６２】
本実施例では、前記状態情報は、前記バッテリーパック体の温度情報をさらに備えてもよい。バッテリーの過熱により、破壊が発生してしまうことを防ぐ。
【００６３】
応力の検測及び温度の測量を同時に実現するように、本実施例では、前記状態検測モジュールがファイバグレーチングセンサーにより実現されてもよい。
【００６４】
また、状態情報が分かるように分析するために、前記スマートバッテリーパック検測方法は、前記ＢＭＳが前記状態情報を記憶し前記状態情報の受信時間を記録するステップ２３をさらに備えてもよい。
【００６５】
前記状態情報への転送及び検知を便宜にするように、前記スマートバッテリーパックは、前記ＢＭＳに通信接続される通信モジュールをさらに備えてもよい。
【００６６】
前記スマートバッテリーパック検測方法は、前記ＢＭＳが前記通信モジュールにより前記状態情報を遠隔検知装置に送信するステップ２４をさらに備える。
【００６７】
前記スマートバッテリーパックは、前記ＢＭＳに通信接続されるデータ転送インターフェースをさらに備える。
【００６８】
前記スマートバッテリーパック検測方法は、前記ＢＭＳが前記データ転送インターフェースにより前記状態情報をＶＣＵに送信し、或いは、前記データ転送インターフェースの装置にアクセスするステップ２４’をさらに備える。
【００６９】
以上には、本発明の具体的な実施形態を説明したが、これらが例示的な説明に過ぎず、本発明による保護範囲が特許請求の範囲に限定されていることが当業者にとって理解されるべきである。当業者は、本発明の原理及び趣旨を逸脱しない限り、これらの実施形態について数多くの変形や補正を実施することが可能であり、これらの変形や補正は、いずれも、本願の保護範囲に含まれている。
【００７０】
本願は、出願日が２０１８年７月２７日である中国特許出願２０１８１０８４７２８５０という優先権を主張している。本願は、上記した中国特許出願の全てを含んでいるとする。
【図１】
2021533531.tif 000003
【図２】
2021533531.tif 000004
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
バッテリーパック組立体、前記バッテリーパック組立体に設置される状態検測モジュール、及び、前記状態検測モジュールに通信接続されるＢＭＳを備え、
前記状態検測モジュールは、前記バッテリーパック組立体の状態情報を取得して前記状態情報を前記ＢＭＳに送信することに用いられる、ことを特徴とするスマートバッテリーパック。
【請求項２】
前記状態情報は、車における前記バッテリーパック組立体の位置情報及び／或いは前記バッテリーパック体の温度情報を備える、ことを特徴とする請求項１に記載のスマートバッテリーパック。
【請求項３】
前記状態検測モジュールは、具体的に、自体が検測する応力の方向及び応力の大きさに基づいて、前記車における前記バッテリーパック組立体の位置情報を取得することに用いられる、ことを特徴とする請求項２に記載のスマートバッテリーパック。
【請求項４】
前記バッテリーパック組立体は、バッテリーパック体及び前記バッテリーパック体に設置される接続部材を備え、
前記状態検測モジュールは、検知ヘッドが前記接続部材に設置される第一状態検測手段を備える、ことを特徴とする請求項３に記載のスマートバッテリーパック。
【請求項５】
前記第一状態検測手段は、
前記スマートバッテリーパックが前記車に搭載されている場合に、前記接続部材が生じる応力の方向及び応力の大きさを前記検知ヘッドにより検測し、前記応力の大きさが第一閾値よりも大きくしかも前記応力の方向が前記スマートバッテリーパックの搭載方向と同じであると、前記車における前記バッテリーパック組立体の位置情報が、搭載際における所定の目標位置となる旨であるようにする、
又は、前記スマートバッテリーパックが前記車に搭載されている場合に、前記接続部材が生じる応力の方向及び応力の大きさを前記検知ヘッドにより検測し、前記応力の大きさが第二閾値よりも大きくしかも前記応力の方向が重力方向と反対すると、前記車における前記バッテリーパック組立体の位置情報が搭載済みの目標位置となる旨であるようにすることに用いられる、ことを特徴とする請求項４に記載のスマートバッテリーパック。
【請求項６】
前記バッテリーパック組立体は、バッテリーパック体及び前記バッテリーパック体に設置される接続部材を備え、前記状態検測モジュールは、検知ヘッドが前記バッテリーパック組立体と前記車との当接面に設置される第二状態検測手段を備え、
前記第二状態検測手段は、
前記スマートバッテリーパックが前記車に搭載されている場合に、前記当接面が生じる応力の方向及び応力の大きさを前記検知ヘッドにより検測し、前記応力の大きさが第三閾値よりも大きくしかも前記応力の方向が前記バッテリーパック体に沿って外側に向かう方向であると、前記車における前記バッテリーパック組立体の位置情報が、搭載済みの位置に保持され前記車に近接して接続される旨であるようにすることに用いられる、ことを特徴とする請求項３に記載のスマートバッテリーパック。
【請求項７】
前記状態検測モジュールは、ファイバグレーチングセンサーにより実現される、ことを特徴とする請求項１に記載のスマートバッテリーパック。
【請求項８】
前記ＢＭＳは、前記状態情報を記憶し、前記状態情報の受信時間を記録することに用いられる、ことを特徴とする請求項１に記載のスマートバッテリーパック。
【請求項９】
前記スマートバッテリーパックは、前記ＢＭＳに通信接続される通信モジュールをさらに備え、
前記ＢＭＳは、前記通信モジュールにより、前記状態情報を遠隔検知装置に送信する、ことを特徴とする請求項１に記載のスマートバッテリーパック。
【請求項１０】
前記スマートバッテリーパックは、前記ＢＭＳに通信接続されるデータ転送インターフェースをさらに備え、
前記ＢＭＳは、前記データ転送インターフェースにより、前記状態情報をＶＣＵに送信し、或いは、前記データ転送インターフェースの装置にアクセスする、ことを特徴とする請求項１に記載のスマートバッテリーパック。
【請求項１１】
請求項１に記載のスマートバッテリーパックにより実現されるスマートバッテリーパック検測方法であって、
状態検測モジュールがバッテリーパック組立体の状態情報を取得して状態情報をＢＭＳに送信することを備える、ことを特徴とするスマートバッテリーパック検測方法。
【請求項１２】
前記状態情報は、車における前記バッテリーパック組立体の位置情報及び／或いは前記バッテリーパック体の温度情報を備える、ことを特徴とする請求項１１に記載のスマートバッテリーパック検測方法。
【請求項１３】
状態検測モジュールがバッテリーパック組立体の状態情報を取得することは、
自体が検測する応力の方向及び応力の大きさに基づいて、前記車における前記バッテリーパック組立体の位置情報を取得することを備える、ことを特徴とする請求項１２に記載のスマートバッテリーパック検測方法。
【請求項１４】
前記バッテリーパック組立体は、バッテリーパック体及び前記バッテリーパック体に設置される接続部材を備え、前記状態検測モジュールは、検知ヘッドが前記接続部材に設置される第一状態検測手段を備える、ことを特徴とする請求項１３に記載のスマートバッテリーパック検測方法。
【請求項１５】
自体が検測する応力の方向及び応力の大きさに基づいて、前記車における前記バッテリーパック組立体の位置情報を取得することは、
前記第一状態検測手段は、前記スマートバッテリーパックが前記車に搭載される場合に、前記接続部材が生じる応力の方向及び応力の大きさを前記検知ヘッドにより検測し、前記応力の大きさが第一閾値よりも大きくしかも前記応力の方向が前記スマートバッテリーパックの搭載方向と同じであると、前記車における前記バッテリーパック組立体の位置情報が、搭載際における所定の目標位置となる旨であるようにすることを備える、
又は、前記第一状態検測手段は、前記スマートバッテリーパックが前記車に搭載されている場合に、前記接続部材が生じる応力の方向及び応力の大きさを前記検知ヘッドにより検測し、前記応力の大きさが第二閾値よりも大きくしかも前記応力の方向が重力方向と反対すると、前記車における前記バッテリーパック組立体の位置情報が搭載済みの目標位置となる旨であるようにすることを備える、ことを特徴とする請求項１４に記載のスマートバッテリーパック検測方法。
【請求項１６】
前記バッテリーパック組立体は、バッテリーパック体及び前記バッテリーパック体に設置される接続部材を備え、前記状態検測モジュールは、検知ヘッドが前記バッテリーパック組立体と前記車との当接面に設置される第二状態検測手段を備え、
自体が検測する応力の方向及び応力の大きさに基づいて、前記車における前記バッテリーパック組立体の位置情報を取得することは、
前記第二状態検測手段は、前記スマートバッテリーパックが前記車に搭載されている場合に、前記当接面に生じる応力の方向及び応力の大きさを前記検知ヘッドにより検測し、前記応力の大きさが第三閾値よりも大きくしかも前記応力の方向が前記バッテリーパックの胴体に沿って外側に向かう方向であると、前記車における前記バッテリーパック組立体の位置情報が、搭載済みの位置に保持され前記車に近接して接続される旨であるようにすることを備える、ことを特徴とする請求項１３に記載のスマートバッテリーパック検測方法。
【請求項１７】
前記状態検測モジュールは、ファイバグレーチングセンサーにより実現される、ことを特徴とする請求項１１に記載のスマートバッテリーパック検測方法。
【請求項１８】
前記スマートバッテリーパック検測方法は、
前記ＢＭＳが前記状態情報を記憶し、前記状態情報の受信時間を記録することをさらに備える、ことを特徴とする請求項１１に記載のスマートバッテリーパック検測方法。
【請求項１９】
前記スマートバッテリーパックは、前記ＢＭＳに通信接続される通信モジュールをさらに備え、
前記スマートバッテリーパック検測方法は、前記ＢＭＳが前記通信モジュールにより前記状態情報を遠隔検知装置に送信することをさらに備える、ことを特徴とする請求項１１に記載のスマートバッテリーパック検測方法。
【請求項２０】
前記スマートバッテリーパックは、前記ＢＭＳに通信接続されるデータ転送インターフェースをさらに備え、
前記スマートバッテリーパック検測方法は、前記ＢＭＳが前記データ転送インターフェースにより前記状態情報をＶＣＵに送信し、或いは、前記データ転送インターフェースの装置にアクセスすることをさらに備える、ことを特徴とする請求項１１に記載のスマートバッテリーパック検測方法。
【国際調査報告】
2021533531.tif 000005
2021533531.tif 000006
2021533531.tif 000007
2021533531.tif 000008